(57)【要約】【課題】遊技者や作業者にとって邪魔になることがなく、容易かつ低コストで遊技機に関連して膳板部分に設置することが可能な遊技機用ドリンクホルダを提供する。【解決手段】本発明の遊技機用ドリンクホルダ１は、飲料容器を収容保持するための収容空間Ｓを形成するとともに、収容空間Ｓを閉じるように折り畳み可能なホルダ本体を備える。ホルダ本体は、遊技機から遊技者側に向けて張り出す膳板５２の側縁に取り付けられる取り付け部５を有するとともに、膳板５２の側縁に沿うように平板状に折り畳まれる。【選択図】図３
2014104015.tif 000002
【特許請求の範囲】
【請求項１】
飲料容器を収容保持するための収容空間を形成するとともに、前記収容空間を閉じるように折り畳み可能なホルダ本体を備え、
前記ホルダ本体は、遊技機から遊技者側に向けて張り出す膳板の側縁に取り付けられる取り付け部を有するとともに、前記膳板の側縁に沿うように平板状に折り畳まれることを特徴とする遊技機用ドリンクホルダ。
【請求項２】
前記ホルダ本体は、前記収容空間を画定するための枠体を形成する複数の壁部から成るとともに、各壁部がヒンジ結合されることにより、前記収容空間を形成する展開位置と、前記収容空間が閉じられる折り畳み位置との間で変形可能であることを特徴とする請求項１に記載の遊技機用ドリンクホルダ。
【請求項３】
前記複数の壁部のいずれかに、前記ホルダ本体を折り畳み位置から展開位置に移動させる操作片を設けたことを特徴とする請求項２に記載の遊技機用ドリンクホルダ。
【請求項４】
前記ホルダ本体は、前記収容空間内の飲料容器を下側から支持する底面を有しており、
前記底面は、前記複数の壁部のいずれかと一体化した少なくとも１つの第１の底板を備えることを特徴とする請求項２又は３に記載の遊技機用ドリンクホルダ。
【請求項５】
前記ホルダ本体は、前記膳板の裏面に当て突いて前記収容空間内に収容される飲料容器の荷重を支える支持板を更に有することを特徴とする請求項１ないし請求項４のいずれか１項に記載の遊技機用ドリンクホルダ。
【請求項６】
前記ホルダ本体の底面は、前記第１の底板と前記支持板との間で延びてこれらに回動可能に結合される第２の底板を更に備えることを特徴とする請求項５に記載の遊技機用ドリンクホルダ。
【請求項７】
前記ホルダ本体は、前記底板と前記支持板とが部分的に上下に重なり合って一列に配置されるように折り畳まれることを特徴とする請求項５または請求項６に記載の遊技機用ドリンクホルダ。
【請求項８】
前記取り付け部は、前記膳板に対して着脱自在であることを特徴とする請求項１ないし請求項７のいずれか１項に記載の遊技機用ドリンクホルダ。
【請求項９】
前記ホルダ本体が矩形状を成すことを特徴とする請求項１ないし請求項８のいずれか１項に記載の遊技機用ドリンクホルダ。
【発明の詳細な説明】
【技術分野】
【０００１】
本発明は、パチンコ機やスロットマシンなどの遊技機に関連して配設され、ペットボトルや缶などを設置可能な遊技機用ドリンクホルダに関する。
【背景技術】
【０００２】
一般的に各種の遊技場に設置されたパチンコ機などの遊技機で遊技する際、遊技者は、飲料物を飲むことがある。このような飲料物の容器（ペットボトル、缶、コップなど；以下、飲料容器という）は、遊技機から遊技者側に向けて張り出す板（膳板と称する）に載置することが可能であるものの、通常、この部分には、パチンコ玉を収容する箱を置いたり、灰皿が設置されるため、遊技者にとっては、飲料容器の取扱いに不便さを感じてしまう。
【０００３】
そこで、例えば、特許文献１には、遊技機を構成する外枠部分の下方、具体的には、遊技装置が組み込まれている開閉扉の下方に横架された幕板部分に、飲料容器を収容可能な収容容器（ドリンクホルダ）を設けた構成が開示されている。また、特許文献２には、遊技機と遊技機との間に設置される台間装置（サンド装置）に、引出状のドリンクホルダを設置した構成が開示されている。
【先行技術文献】
【特許文献】
【０００４】
【特許文献１】特開２００９−７８０１０号
【特許文献２】特開２００９−２０１９１７号
【発明の概要】
【発明が解決しようとする課題】
【０００５】
しかしながら、上記した特許文献１に開示されているドリンクホルダは、遊技機を構成する外枠（幕板）部分に、前方に張り出して設けられる構成のため、遊技場の清掃および遊技機のメンテナンス作業時に邪魔になることがある。また、予め遊技機の幕板と一体的に形成される構造であるため、一旦、遊技機を設置してしまうと、ドリンクホルダのみを単独で設置することはできず、使い勝手の面で劣るという問題がある。
【０００６】
上記した特許文献２に開示されているドリンクホルダは、サンド装置内に組み込まれる構成であるため、サンド装置のコストが高くなってしまうとともに、ドリンクホルダのみを単独で設置することはできない。また、通常、サンド装置は、限られたスペースに収容できる大きさに形成されており、その限られたスペース内に紙幣やカード処理装置を内蔵するため、ドリンクホルダを組み込むことは、それらの装置に制約が生じてしまい、さらには、遊技者がサンド装置を使用する際に邪魔になってしまう可能性がある。
【０００７】
この場合、膳板部分に別途ドリンクホルダを設けることが好ましいものの、膳板の表面には、パチンコ玉を収容する箱が置かれたり遊技機毎に灰皿が設置され、更に、その裏面には、夫々の灰皿からの吸い殻を搬送する搬送パイプ（吸い殻回収装置）が設置されるため、底の径が少なくとも５０ｍｍ以上あるペットボトルや缶に対応した載置部を有するドリンクホルダを設置することはできない。
【０００８】
本発明は、上記した課題に着目してなされたものであり、遊技者や作業者にとって邪魔になることがなく、容易かつ低コストで遊技機に関連して膳板部分に設置することが可能な遊技機用ドリンクホルダを提供することを目的とする。
【課題を解決するための手段】
【０００９】
上記した課題を解決するために、本発明に係る遊技機用ドリンクホルダは、飲料容器を収容保持するための収容空間を形成するとともに、前記収容空間を閉じるように折り畳み可能なホルダ本体を備え、前記ホルダ本体は、遊技機から遊技者側に向けて張り出す膳板の側縁に取り付けられる取り付け部を有するとともに、前記膳板の側縁に沿うように平板状に折り畳まれることを特徴とする。
【００１０】
上記した構成によれば、ホルダ本体が取り付け部を介して膳板の側縁に取り付けられるようになっているため、パチンコ玉を収容する箱や灰皿が膳板の表面に設置されている場合であっても、あるいは、灰皿からの吸い殻を搬送する搬送パイプ（吸い殻回収装置）が膳板の裏面に設置されている場合であっても、これらの設置スペースとホルダ本体の取り付けスペースとが膳板上で干渉することがない。すなわち、設置スペースが限られる膳板に対してドリンクホルダを容易に取り付けることが可能となる。
【００１１】
また、上記した構成のドリンクホルダは、遊技機に一体に設けられず、また、サンド装置に組み込まれることなく、これらの装置とは別体を成して取り付け部により膳板の側縁に沿う任意の位置に取り付けられるため、使い勝手が良く、前記装置に制約を生じさせることがない。
【００１２】
また、上記した構成によれば、ホルダ本体が膳板の側縁に沿うように平板状に折り畳まれるようになっている。そのため、使用しないときには、ホルダ本体を膳板の側縁に沿ってコンパクトに折り畳んで、遊技場の清掃や遊技機のメンテナンス作業あるいは遊技者の邪魔にならないようにすることができる。すなわち、上記した構成のドリンクホルダは、遊技者や作業者の邪魔とならないように容易かつ低コストで遊技機に関連して膳板部分に設置することが可能となる。
【発明の効果】
【００１３】
本発明によれば、遊技者や作業者にとって邪魔になることがなく、容易かつ低コストで遊技機に関連して膳板部分に設置することが可能な遊技機用ドリンクホルダを提供できる。
【図面の簡単な説明】
【００１４】
【図１】本発明の一実施形態に係る遊技機用ドリンクホルダが遊技場のパチンコ機の膳板の側縁に設置された状態を示す概略斜視図である。
【図２】図１の遊技機用ドリンクホルダおよび該ホルダが取り付けられる膳板部分の拡大斜視図である。
【図３】（ａ）〜（ｃ）は、図２に示した遊技機用ドリンクホルダの折り畳み形態を段階的に示す平面図である。
【図４】図２の遊技機用ドリンクホルダのホルダ本体を構成する底板同士または底板と支持板と間の結合部位の断面図である。
【発明を実施するための形態】
【００１５】
以下、添付図面を参照して、本発明の一実施形態に係る遊技機用ドリンクホルダについて具体的に説明する。  
図１は、遊技場に一列に設置された複数のパチンコ機（遊技機）５１から成る島５０の一部を概略的に示している。図示のように、島５０には、この島５０を構成する複数のパチンコ機５１に共通の膳板５２が、パチンコ機５１から遊技者側に向けて張り出すように且つ島５０の長手方向に沿って延びるように設けられる。膳板５２の表面５２ａ上には、膳板５２の表面５２ａとほぼ面一で開口するすり鉢状の灰皿５３が各パチンコ機５１に対応して設けられている。
【００１６】
また、膳板５２の裏面５２ｂには、それぞれの灰皿５３からの吸い殻を搬送する搬送パイプ（吸い殻回収装置）５４が設置される。なお、椅子７０に座って遊技する遊技者（図示せず）の側に面する膳板５２の側縁５２ｃと搬送パイプ５４との間の膳板５２の裏面５２ｂに沿う距離Ｌ（図２参照）は、膳板５２の幅、及び搬送パイプ５４の大きさを考慮すると概ね２０ｍｍ程度となる。
【００１７】
前記膳板５２の側縁５２ｃには、図１に示されるように、その長手方向に沿う任意の位置に、本実施形態に係る遊技機用ドリンクホルダ（以下、ドリンクホルダと称する）１が取り付けられる。
【００１８】
図２に拡大して示されるように、本実施形態のドリンクホルダ１は、飲料容器６０（例えば、５００ｍｌのペットボトル（直径が約５５ｍｍ））を収容保持するための収容空間Ｓを形成するホルダ本体１ａを備えている。本実施形態のホルダ本体１ａは、収容空間Ｓを画定する矩形枠状（例えば、正方形状または長方形状）に構成されており、例えば、金属部材（ステンレス等）から形成され、前記収容空間Ｓを画定するための枠体を形成する複数の壁部、具体的には、４つの長方形状の壁部２，３，４，５を備えている。この場合、各壁部２，３，４，５同士は、その両端部がヒンジ６，７，８，９によって回動可能に結合（連結）されており、これにより、ホルダ本体１ａは、後述するように、収容空間Ｓを形成する展開位置（図２および図３の（ａ）の位置）と、収容空間Ｓが閉じられる折り畳み位置（図３の（ｃ）の位置）との間で変形できるようになっている。すなわち、ホルダ本体１ａは、ヒンジを介して、前記矩形枠状の収容空間Ｓを閉じるように折り畳むことが可能となっている。
【００１９】
また、ホルダ本体１ａは、膳板５２の側縁５２ｃに取り付けられる取り付け部を有する。この取り付け部は、本実施形態においては、ホルダ本体１ａを構成する前記４つの壁部のうちの１つ、例えば、壁部５の外面５ａ（収容空間Ｓ側と反対の面であり、取り付け部とも称する）によって構成され、この外面５ａが膳板５２の側縁５２ｃに取着されるようになっている。本実施形態では、壁部５の外面５ａに予め両面テープが貼り付けられており、両面テープのシールを剥がすことによって壁部５の外面５ａを膳板５２の側縁５２ｃに直接に貼り付けることができ、好ましい位置に容易に着脱できるようになっている。なお、取り付け部５ａの側縁５２ｃに対する取着方法については、特に限定されることはなく、例えば、壁部５の外面５ａを接着剤によって取り付けてもよく、あるいは、壁部５の外面５ａをビス等によって膳板５２の側縁５２ｃに着脱自在に取り付けてもよい。
【００２０】
また、前記取り付け部を構成する壁部５は、膳板５２の裏面５２ｂに当て突いて収容空間Ｓ内に収容される飲料容器６０の荷重を支える支持板１１を備えていても良い。この支持板１１は、壁部５の外面５ａの下端から壁部５に対して略垂直に収容空間Ｓから離れるように外側に延びており、壁部５が膳板５２の側縁５２ｃに取り付けられた状態でその上面１１ａが膳板５２の裏面５２に当て突いて収容空間Ｓ内の飲料容器６０の荷重を支えるようになっている。そのため、支持板１１は、膳板５２の裏面５２ｂに設置される搬送パイプ５４と干渉しないように、その幅（奥行き寸法）Ｌ’が上記した距離Ｌ未満、例えば１９ｍｍに設定されている。なお、この支持板１１は、例えばビスによって膳板５２の裏面５２に固定しても構わない。
【００２１】
また、ホルダ本体１ａは、収容空間Ｓ内の飲料容器６０を下側から支持するための底面を有する。この底面は、後述するように、ホルダ本体１ａが折り畳まれた状態で、膳板５２の裏面５２ｂに設置される搬送パイプ５４と干渉しないように部分的に形成され（部分的に開放され）ており、本実施形態では、ホルダ１ａを構成する４つの壁部２，３，４，５のうちのいずれかと一体化される少なくとも１つの第１の底板を備える。具体的に、本実施形態におけるホルダ本体１ａの底面は、前記取り付け部を構成する壁部５と対向する（図２に示される展開位置で壁部５と平行に位置する）壁部２、及び、後述するようにホルダ本体１ａを折り畳んだ状態で取り付け部としての壁部５と対向する壁部４に対して一体的に設けられる２つの第１の底板１２，１９を備えている。
【００２２】
前記壁部２と一体化される第１の底板１２は、壁部３寄りに位置して、壁部２の内面の下端から壁部２に対して略垂直に収容空間Ｓ内へ向けて内側に延びており、その幅寸法（収容空間Ｓ内へと延びる寸法）Ｌ’は、上記した距離Ｌ未満、例えば１９ｍｍ（支持板１１と同じ幅寸法）に設定されている。また、前記壁部４と一体化される第１の底板１９は、壁部５寄りに位置して、壁部４の内面の下端から壁部４に対して略垂直に収容空間Ｓ内へ向けて内側に延びており、その幅寸法（収容空間Ｓ内へと延びる寸法）Ｌ’も、上記した距離Ｌ未満、例えば１９ｍｍ（支持板１１と同じ幅寸法）に設定されている。
【００２３】
また、ホルダ本体１ａの底面は、壁部に一体化される第１の底板１２，１９以外に、別の底板（壁部とは一体化されない第２の底板１０）を有している。この第２の底板１０は、飲料容器６０を安定して支持でき、かつ、ホルダ本体１ａを折り畳んだ際、膳板５２の側縁５２ｃと搬送パイプ５４との間の距離Ｌの範囲に収納できる構成となっており、第１の底板１２と支持板１１との間で延びて、その両端側がこれらに回動可能に結合されている。すなわち、この第２の底板１０の幅寸法Ｌ’も、上記した距離Ｌ未満、例えば１９ｍｍ（支持体１１と同じ幅寸法）に設定されている。
【００２４】
第２の底板１０と第１の底板１２および支持板１１との間の回動可能な結合は、本実施形態では枢軸としてのビス１３，１４により行なわれる。本実施形態では、図４に示されるように、ビス１３，１４が皿ビスで構成されており、第１の底板１２および支持板１１には、皿ビス１３，１４の頭部の上面が第１の底板１２および支持板１１の表面と略面一となるように座繰り孔７０が形成され、第２の底板１０には、ビス１３，１４の軸部が挿通される貫通孔７２が形成されている。これにより、ビス１３，１４の頭部が第１の底板１２および支持板１１の表面から突出することはなく、回動動作がスムーズに行えるようになる。
【００２５】
なお、ホルダ本体１ａには、ホルダ本体１ａを展開位置（図２および図３の（ａ）の位置）と折り畳み位置（図３の（ｃ）の位置）との間で移動させるために指で摘むことができる半円板状の摘み（操作片）１５が、壁部２の上縁部、特に本実施形態では壁部２と壁部４とを回動可能に結合するヒンジ６の近傍に設けられる。
【００２６】
以上のように構成されるドリンクホルダ１は、取り付け部（壁部５の外面５ａ）を膳板５２の側縁５２ｃに容易に取着することができ、この状態で、展開位置（図２および図３の（ａ）の位置）と折り畳み位置（図３の（ｃ）の位置）との間で変形させることができる。すなわち、飲料容器６０を収容保持するための収容空間Ｓを画定する図３の展開位置で、例えば摘み１５を指で摘まんでホルダ本体１ａを、膳板５２側へ向けて押し込むようにすると、ヒンジ９を中心にして、壁部４が反時計回りに回動し、これに伴い、ホルダ本体１ａの壁部２，３もヒンジ６，７を中心に回動する（図３（ｂ）参照）。このとき、壁部２，４と一体化された第１の底板１２，１９も壁部２，４と共に膳板５２へ向けて移動するとともに、第２の底板１０もビス１４を中心に反時計回りに回動する（第２の底板１０は、両端側のビス１４，１３を中心に支持体１１および第１の底板１２に対して回動し、膳板５２へと移動する）。
【００２７】
そして、最終的に、壁部５と壁部４とが略平行に対向し、且つ壁部３と壁部２とが略平行に対向してホルダ本体１ａが膳板５２の側縁５２ｃに沿うように平板状に折り畳まれる折り畳み位置に達すると、全ての底板１０，１２，１９は、膳板５２の裏面５２ｂ側に潜り込むとともに、壁部４の第１の底板１９の略全体と第２の底板１０のビス１４側の端部は、支持板１１の下側に潜り込み、かつ、第２の底板１０のビス１３側の端部は、壁部２の第１の底板１２の下側に潜り込む状態となる（図３（ｃ）参照）。
【００２８】
すなわち、ホルダ本体１ａが膳板５２の側縁５２ｃに沿うように平板状に折り畳まれる図３（ｃ）で示す折り畳み位置では、ホルダ本体１ａは、底板１０，１２，１９と支持板１１とが部分的に上下に重なり合って、略同一の幅（Ｌ’の範囲）で一列に配置されるようになる。そして、この配置状態では、前述した底板１０，１２，１９および支持板１１の幅設定（幅寸法Ｌ’＜Ｌ）により、全ての底板１０，１２，１９は、搬送パイプ５４に干渉することなく、支持板１１の幅内にほぼ収まる状態となる。
【００２９】
以上説明したように、本実施形態の遊技機用ドリンクホルダ１によれば、ホルダ本体１ａが取り付け部（壁部）５を介して膳板５２の側縁５２ｃに取り付けられるようになっているため、パチンコ玉を収容する箱や灰皿５３が膳板５２の表面５２ａに設置されている場合であっても、あるいは、灰皿５３からの吸い殻を搬送する搬送パイプ（吸い殻回収装置）５４が膳板５２の裏面５２ｂに設置されている場合であっても、これらの設置スペースとホルダ本体１ａの取り付けスペースとが膳板５２部分で干渉することがない。すなわち、設置スペースが限られる膳板５２に対してドリンクホルダ１を容易に取り付けることができる。
【００３０】
また、本実施形態のドリンクホルダ１は、パチンコ機（遊技機）５１に一体に設けられず、また、サンド装置に組み込まれることもなく、これらの装置とは別体を成して取り付け部（壁部）５により膳板５２の側縁５２ｃに沿う任意の位置に取り付けることができるため、使い勝手が良く、前記装置に制約を生じさせることがない。具体的に、遊技機の内、パチンコ機はハンドルが右手側にあることから、ジュースなどを飲む際は左手を使用する方が良く、上記した構成のドリンクホルダは、遊技中、遊技者にとって取扱いし易い左手側の下方に設置することができ、操作性が良くなる（サンド装置に設置するタイプでは、位置が高くなってしまい操作性が悪い）。また、遊技機の内、スロットマシンでは、通常、右手で遊技操作することが多いことから、前記同様、遊技者にとって取扱いし易い左手側の下方に設置することができ、操作性が良くなる（上の棚部分に設置するタイプでは、遊技者は半立の状態となり、操作性が悪い）。すなわち、本実施形態のドリンクホルダ１によれば、遊技者や作業者の邪魔にならずに取扱い性が良く、容易かつ低コストで遊技機に関連して膳板部分に設置することができる。
【００３１】
また、本実施形態によれば、ホルダ本体１ａが膳板５２の側縁５２ｃに沿うように平板状に折り畳まれるようになっている（折り畳み状態では、全ての底板１０，１２，１９が支持板１１と共に膳板５２の裏面５２ｂ側に位置するとともに、底板１０，１２，１９と支持板１１とが部分的に上下に重なり合って一列に配置され、膳板５２から張り出さない）ため、使用しないときには、ホルダ本体１ａを図３の（ｃ）に示されるように膳板５２の側縁５２ｃに沿ってコンパクトに折り畳んで、遊技場の清掃や遊技機のメンテナンス作業あるいは遊技の邪魔にならないようにすることができる。
【００３２】
なお、本発明は、前述した実施形態に限定されず、本発明から逸脱しない範囲で種々変形して実施することが可能である。例えば、前述した実施形態では、ホルダ本体１ａが矩形状の枠体から成っているが、ホルダ本体１ａは矩形状の枠体である必要はなく、要は、ホルダ本体１ａは、膳板５２の側縁５２ｃに沿うように平板状に折り畳むことができれば、どのような形状（形態）であってもよい。また、ホルダ本体１ａを構成する底板の数、支持板の数、壁部の数は任意である。要は、これらの構成要素が折り畳み状態で膳板５２の裏面５２ｂに設置される搬送パイプ５４と干渉しなければ、底板、支持板、壁部の形状、位置、数などを任意に設定できる。また、ホルダ本体１ａの折り畳み方向、折り畳み形態も任意である。膳板５２の側縁５２ｃに沿うように平板状に折り畳むことができれば、どのような形態であっても構わない。また、前述した実施形態では、壁部が取り付け部としての機能を果たしているが、取り付け部が壁部と別体で設けられてもよい。
【符号の説明】
【００３３】
１  遊技機用ドリンクホルダ
１ａ  ホルダ本体
２，３，４，５  壁部
５  壁部（取り付け部）
１０  第２の底板
１１  支持板
１２  第１の底板
１９  第１の底板
５１  パチンコ機（遊技機）
５２  膳板
５２ｂ  裏面
５２ｃ  側縁
６０  飲料容器
Ｓ  収容空間
【図１】
2014104015.tif 000003
【図２】
2014104015.tif 000004
【図３】
2014104015.tif 000005
【図４】
2014104015.tif 000006